(57)【要約】【課題】別個にオープナーだけを持ち歩く必要がなく、外出時等においても、忘れることなく常に持ち歩くことができ、缶の上面に設けられたプルタブを引き上げて、缶の上面に設けられたプルリッドを開封させることが簡単かつ安全に行えるようにする。【解決手段】この考案のオープナー付きキーホルダーにおいては、鍵を保持させる保持具１１に連結具１２によって取り付けられてなるホルダー基体１３に、プルトップ缶用のオープナー部１４を少なくとも１つ設けた。【選択図】　図２
0003097372.tif 000002
【実用新案登録請求の範囲】
【請求項１】
鍵を保持させる保持具１１に連結具１２を介してホルダー基体１３が取り付けられてなり、上記のホルダー基体１３にプルトップ缶用のオープナー部１４が少なくとも１つ設けられてなることを特徴とするオープナー付きキーホルダー。
【請求項２】
請求項１に記載したオープナー付きキーホルダーにおいて、上記のプルトップ缶用のオープナー部１４が鉤型状に形成されていることを特徴とするオープナー付きキーホルダー。
【請求項３】
請求項１又は請求項２に記載したオープナー付きキーホルダーにおいて、上記のホルダー基体１３に鉤型状になった一対のオープナー部１４が対向するようにして設けられていることを特徴とするオープナー付きキーホルダー。
【請求項４】
請求項１又は請求項２に記載したオープナー付きキーホルダーにおいて、上記のホルダー基体１３にネジ回し用のドライバー部１５が設けられていることを特徴とするオープナー付きキーホルダー。
【考案の詳細な説明】
【０００１】
【考案の属する技術分野】
この考案は、鍵を保持させる保持具に連結具を介してホルダー基体が取り付けられてなるキーホルダーに係り、特に、プルトップ缶におけるプルタブを引き上げてプルリッドを開封させることが簡単かつ安全に行えるようにしたオープナー付きキーホルダーに関するものである。
【０００２】
【従来の技術】
近年、自動販売機などにおいて、缶入りの各種の飲料が多く販売されており、このような缶入りの各種の飲料においては、一般に図１に示すように、缶１の上面にプルタブ２を設けたプルトップ缶が使用されており、このようなプルトップ缶においては、缶１の上面に設けたプルタブ２を引き上げて、缶１の上面におけるプルリッド３を開封させるようにしている。
【０００３】
ここで、このようにプルタブ２を引き上げてプルリッド３を開封させる場合、一般にプルタブ２に設けられた挿入穴２ａに指の爪等を差し込んで、プルタブ２を缶１の上面から少し持ち上げた後、このプルタブ２を引き上げるようにしていた。
【０００４】
しかし、上記のようにプルタブ２に設けられた挿入穴２ａに指の爪等を差し込んで、プルタブ２を缶１の上面から持ち上げる場合、爪が傷ついたり、爪の一部が剥がれたり、指を怪我したりするという問題があった。
【０００５】
このため、近年においては、上記のような缶１の上面に設けられたプルタブ２を簡単に持ち上げて、プルリッド３を開封できるようにした各種のオープナーが提案されている（例えば、特許文献１〜４等参照。）。
【０００６】
しかし、このようなオープナーを常に用意しておくことは困難であり、特に外出時等において、このようなオープナーを常に持ち歩くことは非常に面倒であるという問題があった。
【０００７】
【特許文献１】
特開平１１−３０１７９２号公報
【特許文献２】
特開２００１−２１８７号公報
【特許文献３】
特開２０００−３２６９７１号公報
【特許文献４】
登録実用新案３０８０５６８号公報
【０００８】
【考案が解決しようとする課題】
この考案は、缶入りの各種の飲料において、缶の上面に設けられたプルタブを引き上げて、缶の上面に設けられたプルリッドを開封させる場合における上記のような様々な問題を解決することを課題とするものである。
【０００９】
すなわち、この考案は、別個にオープナーだけを持ち歩く必要がなく、外出時等においても、忘れることなく常に持ち歩くことができ、上記のように缶の上面に設けられたプルタブを引き上げて、缶の上面におけるプルリッドを開封させることが簡単かつ安全に行えるようにすることを課題とするものである。
【００１０】
【課題を解決するための手段】
この考案におけるオープナー付きキーホルダーにおいては、上記のような課題を解決するため、鍵を保持させる保持具１１に連結具１２を介して取り付けられるホルダー基体１３に、プルトップ缶用のオープナー部１４を少なくとも１つ設けるようにしたのである。
【００１１】
そして、この考案におけるオープナー付きキーホルダーのようにホルダー基体１３にプルトップ缶用のオープナー部１４を設けると、このオープナー部１４により缶１の上面に設けたプルタブ２を引き上げて、缶１の上面におけるプルリッド３を開封させることが容易に行えるようになると共に、上記の保持具１１に家や自動車等の鍵を保持させておくと、外出時等においても、忘れることなく常に持ち歩くようになり、別個にオープナーだけを持ち歩く必要もなくなる。
【００１２】
ここで、この考案におけるオープナー付きキーホルダーにおいて、上記のプルトップ缶用のオープナー部１４としては、例えば鉤型状に形成されたものを用いることができる。そして、このように鉤型状に形成されたオープナー部１４により、缶１の上面に設けたプルタブ２を引き上げて、缶１の上面におけるプルリッド３を開封させるにあたっては、この鉤型状に形成されたオープナー部１４の先端部１４ａをプルタブ２に設けられた挿入穴２ａに差し込み、この状態で、このオープナー部１４の鉤型状に折れ曲がった折り曲げ部１４ｂを支点として上記の先端部１４ａを持ち上げ、缶１の上面に設けられたプルタブ２が缶１の上面から浮き上がらせ、その後、プルタブ２を引き上げてプルリッド３を開封させるようにする。
【００１３】
また、この考案におけるオープナー付きキーホルダーにおいて、ホルダー基体１３に上記のような鉤型状になった一対のオープナー部１４を対向するようにして設けると、鉤型状になったオープナー部１４の先端部１４ａが互いに内側に向かって対向するようになり、このオープナー部１４に指があたって傷ついたりすることが少なくなる。
【００１４】
また、この発明におけるオープナー付きキーホルダーにおいて、上記のホルダー基体１３にオープナー部１４の他にネジ回し用のドライバー部１５を設けると、これをドライバーとしても使用できるようになって便利である。
【００１５】
【実施例】
以下、この考案の実施例に係るオープナー付きキーホルダーを添付図面に基づいて具体的に説明する。なお、この考案に係るオープナー付きキーホルダーは下記の実施例に示したものに限定されず、考案の要旨を変更しない範囲において、適宜変更して実施できるものである。
【００１６】
（実施例１）
この実施例１におけるオープナー付きキーホルダーにおいては、図２に示すように、家や自動車等の各種の鍵（図示せず）を保持するリング状になった保持具１１に連結具１２を介してホルダー基体１３が取り付けられており、このホルダー基体１３に鉤型状になった一対のプルトップ缶用のオープナー部１４が対向するようにして設けられている。
【００１７】
ここで、この実施例１におけるオープナー付きキーホルダーにおいて、上記のホルダー基体１３としては、リング状になった基部１３ａの開口部１３ｂ内に星型状になった装飾部１３ｃを設け、この装飾部１３ｃの中央に円形状の穴１３ｄを開口させるようにしたが、このホルダー基体１３の形状は特に限定されず、キャラクターをあしらった形状にする等、自由に設計変更することができる。
【００１８】
そして、この実施例１におけるオープナー付きキーホルダーを用い、図１に示すような缶１の上面にプルタブ２が設けられたプルトップ缶において、その上面に設けたプルタブ２を引き上げてプルリッド３を開封させるにあたっては、ホルダー基体１３に設けられた上記の鉤型状になった一対のオープナー部１４における一方のオープナー部１４を使用し、先端が鋭角になった先端部１４ａをプルタブ２に設けられた挿入穴２ａに差し込み、この状態で、このオープナー部１４の鉤型状に折れ曲がった折り曲げ部１４ｂを支点として上記の先端部１４ａを持ち上げるようにする。このようにすると、缶１の上面に設けられた上記のプルタブ２が缶１の上面から浮き上がった状態になる。
【００１９】
その後は、上記のようにプルタブ２に設けられた挿入穴２ａにオープナー部１４の先端部１４ａを差し込んだ状態で、上記のホルダー基体１３を持ち上げてプルタブ２を引き上げ、缶１の上面におけるプルリッド３を開封させるようにする。
【００２０】
このようにすると、プルタブ２に設けられた挿入穴２ａに指の爪等を差し込んで持ち上げる場合のように、爪が傷ついたり、爪の一部が剥がれたり、指を怪我したりするということがなく、缶１の上面に設けられたプルタブ２を簡単に持ち上げて、プルリッド３を安全に開封できるようになる。
【００２１】
また、この実施例におけるオープナー付きキーホルダーにおいては、上記のようにホルダー基体１３に鉤型状になった一対のオープナー部１４を対向するように設けているため、先端が鋭角になったオープナー部１４の先端部１４ａが互いに内側に向かって向かい合うようになり、この先端部１４ａが指にあたって傷ついたりするのも少なくなる。
【００２２】
また、この実施例のオープナー付きキーホルダーにおいては、一方のオープナー部１４における先端部１４ａをビンの栓の部分に引っ掛け、他方のオープナー部１４における先端部１４ａを支点として引き上げることにより、栓抜きとして利用することも可能となる。
【００２３】
また、この実施例１におけるオープナー付きキーホルダーにおいて、上記のように保持具１１に家や自動車等の鍵を保持させておくと、外出時等においても、忘れることなく常に持ち歩くようになり、別個にオープナーだけを持ち歩く必要もなくなる。
【００２４】
（実施例２）
この実施例２におけるオープナー付きキーホルダーにおいても、図３に示すように、鍵（図示せず）を保持するリング状になった保持具１１に連結具１２を介してホルダー基体１３が取り付けられている。
【００２５】
そして、この実施例２におけるオープナー付きキーホルダーにおいては、図３に示すように、このホルダー基体１３に鉤型状になった一つのオープナー部１４を設けるようにし、それ以外は、上記の実施例１におけるオープナー付きキーホルダーと同様に構成している。
【００２６】
そして、この実施例２におけるオープナー付きキーホルダーにおいても、上記の実施例１のオープナー付きキーホルダーと同様にして、缶１の上面に設けられたプルタブ２を簡単に持ち上げて、プルリッド３を安全に開封できるようになる。
【００２７】
（実施例３）
この実施例３におけるオープナー付きキーホルダーにおいても、図４に示すように、鍵（図示せず）を保持するリング状になった保持具１１に連結具１２を介してホルダー基体１３が取り付けられている。
【００２８】
そして、この実施例３におけるオープナー付きキーホルダーにおいては、図４に示すように、このホルダー基体１３にオープナー部１４を設けるにあたり、ホルダー基体１３から延出部１４ｃを延出させ、この延出部１４ｃから両側に向けて先端が鋭角になった先端部１４ａを設けている。
【００２９】
そして、この実施例３におけるオープナー付きキーホルダーにおいて、上記のように缶１の上面に設けられたプルタブ２を持ち上げて、プルリッド３を開封させるにあたっては、上記の延出部１４ｃから延出された一方の先端部１４ａをプルタブ２に設けられた挿入穴２ａに差し込み、この状態で、上記の延出部１４ｃから延出された他方の先端部１４ａを支点として、プルタブ２の挿入穴２ａに差し込んだ一方の先端部１４ａを持ち上げるようにする。このようにすると、プルタブ２の挿入穴２ａに差し込んだ一方の先端部１４ａが大きく持ち上がり、その後、ホルダー基体１３を持ち上げてプルタブ２を引き上げなくても、缶１の上面に設けられたプルリッド３が十分に開封されるようになる。
【００３０】
（実施例４）
この実施例４におけるオープナー付きキーホルダーにおいても、図５に示すように、鍵（図示せず）を保持するリング状になった保持具１１に連結具１２を介してホルダー基体１３が取り付けられている。
【００３１】
そして、この実施例４におけるオープナー付きキーホルダーにおいては、図５に示すように、このホルダー基体１３に鉤型状になった一つのオープナー部１４を設けると共に、このホルダー基体１３にネジ回し用のドライバー部１５を設けている。
【００３２】
そして、この実施例４におけるオープナー付きキーホルダーにおいては、上記の実施例１，２のオープナー付きキーホルダーの場合と同様にして、缶１の上面に設けられたプルタブ２を簡単に持ち上げて、プルリッド３を安全に開封できるようになると共に、上記のドライバー部１５を使用してネジの取り付けや取り外しが容易に行えるようになる。
【００３３】
【考案の効果】
以上詳述したように、この考案に係るオープナー付きキーホルダーにおいては、鍵を保持させる保持具に連結具によって取り付けられるホルダー基体に、プルトップ缶用のオープナー部を設けるようにしたため、このオープナー部により缶の上面に設けたプルタブを引き上げて、缶の上面におけるプルリッドを簡単かつ安全に開封させることができるようになると共に、上記の保持具に家や自動車等の鍵を保持させておくと、外出時等においても、忘れることなく常に持ち歩くようになり、別個にオープナーだけを持ち歩く必要もなくなる。
【図面の簡単な説明】
【図１】缶の上面にプルタブが設けられたプルトップ缶の部分説明図である。
【図２】この考案の実施例１に係るオープナー付きキーホルダーの概略説明図である。
【図３】この考案の実施例２に係るオープナー付きキーホルダーの概略説明図である。
【図４】この考案の実施例３に係るオープナー付きキーホルダーの概略説明図である。
【図５】この考案の実施例４に係るオープナー付きキーホルダーの概略説明図である。
【符号の説明】
１　缶
２　プルタブ
２ａ　挿入穴
３　プルリッド
１１　保持具
１２　連結具
１３　ホルダー基体
１４　オープナー部
１４ａ　先端部
１４ｂ　折り曲げ部
１５　ドライバー部
【図１】
0003097372.tif 000003
【図２】
0003097372.tif 000004
【図３】
0003097372.tif 000005
【図４】
0003097372.tif 000006
【図５】
0003097372.tif 000007